(57)【特許請求の範囲】
【請求項１】
調理器本体の上部に設置され、被加熱体を載置するための天板と、
前記天板の下方に配置され、中心軸を略同一とする径の異なる内コイル及び外コイルで形成された加熱コイルと、
前記加熱コイルを前記天板側から見て外コイルの外周、及び内コイルの外周と外コイルの内周との間に位置するようにそれぞれ配置され、光を前記天板に向けて照射する複数の略リング状の発光体と、
内コイルと外コイル間側に配置された発光体の両側に隙間を有して互いに対向する側板より形成され、前記加熱コイルに冷却用として送風される冷却風の一部を導入する略リング状の冷却風導入路と、
前記被加熱体の大きさを検知し、その検知結果に基づく発光体を前記複数の発光体から選択して発光させる制御手段と
を備えたことを特徴とする誘導加熱調理器。
【請求項２】
前記加熱コイルのうち外コイル側の発光体は、内コイルと外コイル間側の発光体と比べ、幅が太く形成されていることを特徴とする請求項１記載の誘導加熱調理器。
【請求項３】
調理器本体の上部に設置され、被加熱体を載置するための天板と、
前記天板の下方に配置され、中心軸を略同一とする径の異なる内コイル及び外コイルで形成された加熱コイルと、
前記加熱コイルを前記天板側から見て外コイルの外周、及び内コイルの外周と外コイルの内周との間に位置するようにそれぞれ配置され、光を前記天板に向けて照射する複数の略リング状の発光体と、
内コイルと外コイル間側に配置された発光体の両側に隙間を有して互いに対向する側板より形成され、前記加熱コイルに冷却用として送風される冷却風の一部を導入する略リング状の冷却風導入路と、
前記加熱コイルへの通電時に前記天板に載置された被加熱体が誘導加熱に適した被加熱体か否かを検知し、不適な被加熱体を検知したときは、前記複数の発光体あるいは何れか一方の発光体を適正を検知したときの発光状態と異なるように発光させる制御手段と
を備えたことを特徴とする誘導加熱調理器。
【請求項４】
前記制御手段は、誘導加熱に不適な被加熱体と判断したとき、その原因に応じて前記複数の発光体あるいは何れか一方の発光体の発光状態を変化させることを特徴とする請求項３記載の誘導加熱調理器。
【請求項５】
前記制御手段は、誘導加熱に不適な原因が規定サイズ以下の小物と判断したとき、前記複数の発光体あるいは何れか一方の発光体の発光状態を変化させることを特徴とする請求項４記載の誘導加熱調理器。
【請求項６】
前記制御手段は、誘導加熱に不適な原因が材質に起因すると判断したとき、前記複数の発光体あるいは何れか一方の発光体の発光状態を変化させることを特徴とする請求項４又は５記載の誘導加熱調理器。
【請求項７】
調理器本体の上部に設置され、被加熱体を載置するための天板と、
前記天板の下方に配置され、中心軸を略同一とする径の異なる内コイル及び外コイルで形成された加熱コイルと、
前記加熱コイルを前記天板側から見て外コイルの外周、及び内コイルの外周と外コイルの内周との間に位置するようにそれぞれ配置され、光を前記天板に向けて照射する複数の略リング状の発光体と、
内コイルと外コイル間側に配置された発光体の両側に隙間を有して互いに対向する側板より形成され、前記加熱コイルに冷却用として送風される冷却風の一部を導入する略リング状の冷却風導入路と、
前記被加熱体がずれたか否か、若しくは前記天板から離れたか否かを検知し、その検知結果に応じて前記複数の発光体の発光状態を変化させる制御手段と
を備えたことを特徴とする誘導加熱調理器。
【請求項８】
前記制御手段は、被加熱体が前記天板から離れたと判断したとき、被加熱体が前記天板に載置されているときに発光している発光体に加えて、消灯中の発光体も発光させるようにすることを特徴とする請求項７記載の誘導加熱調理器。
【請求項９】
内コイルと外コイル間側の発光体は、外コイル側の発光体上端よりも下方に配置されていることを特徴とする請求項１乃至８の何れかに記載の誘導加熱調理器。
【請求項１０】
前記天板と前記加熱コイルの間に配置され、内コイルと外コイル間側の発光体と対向する面に開口部を有する浮力抑制板を備えたことを特徴とする請求項１乃至９の何れかに記載の誘導加熱調理器。
【発明の詳細な説明】
【技術分野】
【０００１】
本発明は、中心軸を略同一とする内コイル及び外コイルよりなる加熱コイルを備えた誘導加熱調理器に関するものである。
【背景技術】
【０００２】
従来の誘導加熱調理器として、加熱コイルの外周に、両端に光源を有する線状発光体を設け、加熱調理開始時に光源を点灯して線状発光体を発光させ、その加熱コイルによる加熱範囲が明確になるようにしている（例えば、特許文献１参照）。
【０００３】
【特許文献１】特開２００４−２６５８８０号公報（第７頁、図６）
【発明の開示】
【発明が解決しようとする課題】
【０００４】
前述した従来の技術では、加熱コイルの外周にリング状の線状発光体を１つ設けているだけであるため、状況に応じて表示可能な情報量は少なく、限界があるという課題があった。また、使用者が直感的に理解できるように、被加熱体に関係する情報は被加熱体に近い位置に表示されることが望ましいが、被加熱体近傍のスペースは限られているため、複数の線状発光体を使用することは難しい。
【０００５】
本発明は、前記のような課題を解決するためになされたもので、被加熱体の近傍で被加熱体の形状、材質若しくは状態に応じた分かりやすい表示が可能な誘導加熱調理器を提供することを目的とする。
【課題を解決するための手段】
【０００６】
本発明に係る誘導加熱調理器は、調理器本体の上部に設置され、被加熱体を載置するための天板と、天板の下方に配置され、中心軸を略同一とする径の異なる内コイル及び外コイルで形成された加熱コイルと、加熱コイルを天板側から見て外コイルの外周、及び内コイルの外周と外コイルの内周との間に位置するようにそれぞれ配置され、光を天板に向けて照射する複数の略リング状の発光体と、内コイルと外コイル間側に配置された発光体の両側に隙間を有して互いに対向する側板より形成され、加熱コイルに冷却用として送風される冷却風の一部を導入する略リング状の冷却風導入路と、被加熱体の大きさを検知し、その検知結果に基づく発光体を複数の発光体から選択して発光させる制御手段とを備えたものである。
【０００７】
本発明に係る誘導加熱調理器は、調理器本体の上部に設置され、被加熱体を載置するための天板と、天板の下方に配置され、中心軸を略同一とする径の異なる内コイル及び外コイルで形成された加熱コイルと、加熱コイルを天板側から見て外コイルの外周、及び内コイルの外周と外コイルの内周との間に位置するようにそれぞれ配置され、光を天板に向けて照射する複数の略リング状の発光体と、内コイルと外コイル間側に配置された発光体の両側に隙間を有して互いに対向する側板より形成され、加熱コイルに冷却用として送風される冷却風の一部を導入する略リング状の冷却風導入路と、加熱コイルへの通電時に天板に載置された被加熱体が誘導加熱に適した被加熱体か否かを検知し、不適な被加熱体を検知したときは、複数の発光体あるいは何れか一方の発光体を適正を検知したときの発光状態と異なるように発光させる制御手段とを備えたものである。
【０００８】
本発明に係る誘導加熱調理器は、調理器本体の上部に設置され、被加熱体を載置するための天板と、天板の下方に配置され、中心軸を略同一とする径の異なる内コイル及び外コイルで形成された加熱コイルと、加熱コイルを天板側から見て外コイルの外周、及び内コイルの外周と外コイルの内周との間に位置するようにそれぞれ配置され、光を天板に向けて照射するための複数の略リング状の発光体と、内コイルと外コイル間側に配置された発光体の両側に隙間を有して互いに対向する側板より形成され、加熱コイルに冷却用として送風される冷却風の一部を導入する略リング状の冷却風導入路と、被加熱体がずれたか否か、若しくは天板から離れたか否かを検知し、その検知結果に応じて複数の発光体の発光状態を変化させる制御手段とを備えたものである。
【発明の効果】
【０００９】
本発明によれば、加熱コイルを天板側から見て外コイルの外周、及び内コイルの外周と外コイルの内周との間に位置するようにそれぞれ配置され、光を天板に向けて照射する複数の略リング状の発光体を備えたため、被加熱体の形状、材質若しくは状態に応じた分かりやすい表示を行うことが可能となる。
【発明を実施するための最良の形態】
【００１０】
実施の形態１．
図１は本発明の実施の形態１を示す誘導加熱調理器の外観斜視図、図２は実施の形態１に係る誘導加熱調理器の天板を一部破砕して示す平面図、図３は実施の形態１に係る誘導加熱調理器の誘導コイルと発光体との位置関係を示す断面図、図４は実施の形態１に係る誘導加熱調理器のコイルベースを示す平面図、図５は実施の形態１に係る誘導加熱調理器の浮力抑制板を示す平面図である。
これら図において、調理器本体１の上部には、耐熱性が高く、かつ光透過性を有する耐熱強化ガラスで形成された天板２が設置されている。天板２の上面には、中心軸を略同一とする内径リングライン３と外径リングライン４が１つの加熱口として２箇所に印刷され、後部中央には小径のリングライン５が印刷されている。内径リングライン３は、誘導加熱可能な径の小さい被加熱体（例えば鍋）の載置位置を示し、外径リングライン４は、径の大きい被加熱体の載置位置を示している。
【００１１】
この天板２は、前述の如く光透過性であるため、内径リングライン３と外径リングライン４の例えば外周に形成されたリング表示窓、ヒータの上部（リングライン５内側）及び後述する３つの調理機能表示窓の部分を除いて、裏面の略全面に塗装が施されている。これは、調理器本体１内が見えないようにするためである。前述したリング表示窓は、後述する発光体からの光を透過させるためで、外径リングライン４側のリング表示窓は、内径リングライン３側のリング表示窓と比べ幅が太くなっている。
【００１２】
天板２の下方の調理器本体１内には、内径及び外径リングライン３、４の中心軸を中心とする２つの加熱コイル６が配置され、これら加熱コイル６の中央後部には小径のリングライン５の中心軸を中心とするヒータ（図示せず）が設置されている。調理器本体１の前面左側には、扉７が前後に摺動可能なグリル部が設けられている。天板２の前部側には、前述した３つの調理機能表示窓８、９が形成されている。これら表示窓８、９のうち両側の調理機能表示窓８には、その裏面に加熱コイル６用の液晶表示器（図示せず）が配置され、中央部の表示窓９には、ヒータとグリル部の併用の液晶表示器（図示せず）が配置されている。
【００１３】
調理器本体１の天板手前側には、２つの加熱コイル６及びグリル部に対応して各種スイッチが配列された上面操作部１０が設けられ、調理器本体１の前面右側には、２つの加熱コイル６及びヒータの火力をそれぞれ微調節するための火力調節ダイヤル、電源を入り切りするための電源スイッチ等が配置された前面操作部１１が設けられている。
【００１４】
前述した加熱コイル６は、前記の中心軸を中心とする径の異なる内コイル６ａと外コイル６ｂで形成され、これら内コイル６ａと外コイル６ｂが略同一平面上になるようにコイルベース１２上に配置されている（図３参照）。このコイルベース１２は、図４に示すように、加熱コイル６の中心軸を中心とする円板１２ａと、円板１２ａから少なくとも三方に延びて形成された連結板１２ｂに連結されたリング板１２ｃと、リング板１２ｃの外縁に天板方向に延びて形成されたリング状の側板１２ｄと、円板１２ａの外縁及びリング板１２ｃの内縁に互いに対向する側板より形成された略リング状の冷却風導入路１２ｅとから構成されている。
【００１５】
加熱コイル６を天板２側から見て、外コイル６ｂの外周とコイルベース１２の側板１２ｄの間、及び内コイル６ａと外コイル６ｂの間にそれぞれ位置するように略リング状の発光体１３、１４（以下、発光体１３を「内発光体１３」、発光体１４を「外発光体１４」という）が配置され、その内、内発光体１３は、図３に示すように、コイルベース１２の冷却風導入路１２ｅ内に外発光体１４の上端よりも低い位置に配置されている。内発光体１３と外発光体１４は、例えば断面が四辺形に形成された導光路１３ａ、１４ａと、その導光路１３ａ、１４ａの両端にそれぞれ装着された光源のＬＥＤ１３ｂ、１４ｂとを備えている。導光路１３ａ、１４ａは、ＬＥＤ１３ｂ、１４ｂの光を上方に放射する発光面を有し、その発光面に対向する面に光反射層が設けられている。また、外発光体１４の導光路１４ａは、内発光体１３の導光路１３ａと比べ幅（発光面）が太く形成されている。
【００１６】
天板２と加熱コイル６の間には、図３に示すように浮力抑制板１５が配置されている。この浮力抑制板１５は、加熱コイル６の電磁力による被加熱体の浮遊を抑制するための部材（例えば、アルミ板等）で、図５に示すように、加熱コイル６の中心軸を中心とする円板１５ａと、円板１５ａから少なくとも三方に延びて形成された連結板１５ｂに連結されたリング板１５ｃとで構成されている。この構成により、浮力抑制板１５には、周方向に延びて形成された３つの開口部１５ｄが形成されている。
【００１７】
また、コイルベース１２の下方には、冷却風を上方に向けて噴き出す平面円形状の冷却風噴出部１６が設けられている（図３参照）。冷却風噴出部１６は、加熱コイル６の中心軸を中心として、周方向に、かつ径方向に複数の孔が配列されており、この冷却風噴出部１６の基端部側には調理器本体１内を冷却するためのファンモータ（図示せず）が設けられている。
【００１８】
次に、図６〜図８を用いて実施の形態１の動作を説明する。図６は実施の形態１の動作を説明するための概略ブロック図、図７は鍋の大きさに応じて点灯するリング表示窓の一例を示す平面図、図８は鍋の大きさ判定時の動作を示すフローチャートである。
天板２に印刷された内径リングライン３あるいは外径リングライン４のうち何れか一方のリングライン内に被加熱体を設置した後に、本調理器の電源をオンすると、制御部２０は、加熱コイル６の電力が設定されたか否かを判定する（Ｓ１）。電力の設定を検知すると、電力設定された加熱コイル６のうち外コイル６ｂが低電力で出力されるように、加熱動作時より高い周波数の駆動信号によりインバータ回路２１（例えばフルブリッジ型インバータ）を駆動する（Ｓ２）。そして、交流直流変換回路２２内の入力側に設けられた電流検出手段の検出電流（入力電流）とインバータ回路２１内に設けられたコイル電流検出手段の検出電流（コイル電流）を所定の情報として読み込んで（Ｓ３）、例えば入力電流に対するコイル電流の比率（＝入力電流／コイル電流）を算出し（Ｓ４）、予め設定された閾値と比較する（Ｓ５）。
【００１９】
算出した比率が閾値以下のときは、径の小さい被加熱体と判断して内発光体１３の両端に装着されたＬＥＤ１３ｂを点灯する（Ｓ６）。このＬＥＤ１３ｂの点灯により、導光路１３ａの発光面から光が放射され、図７（ｂ）に示すように内径リングライン３の外周に形成されたリング表示窓３ａが発光する。制御部２０は、内径リングライン３側のリング表示窓３ａを発光させた際、外コイル６ｂへの通電を停止し（Ｓ７）、先に設定された電力が内コイル６ａのみから出力されるようにインバータ回路２１を制御する（Ｓ８）。また、入力電流に対するコイル電流の比率が閾値より高いときは、径の大きい被加熱体と判断して外発光体１４の両端に装着されたＬＥＤ１４ｂを点灯する（Ｓ９）。このＬＥＤ１４ｂの点灯により、導光路１４ａの発光面から光が放射され、図７（ａ）に示すように外径リングライン４の外周に形成されたリング表示窓４ａが発光する。この場合、内径リングライン３側と比べ幅の太いリング表示窓４ａが発光する。制御部２０は、外径リングライン４側のリング表示窓４ａを発光させた際、先に設定された電力が内コイル６ａと外コイル６ｂとによって出力されるようにインバータ回路２１を制御する（Ｓ１０）。
【００２０】
その後、制御部２０は、調理器本体１内に設けられたファンモータを駆動し（Ｓ１１）、そのファンモータの駆動による冷却風を冷却風噴出部１６の上面に設けられた複数の孔から噴出させ、加熱コイル６周辺の温度上昇を抑制する。この場合、冷却風の一部がコイルベース１２に形成された冷却風導入路１２ｅに流れ込み、冷却風導入路１２ｅ内に配置された内発光体１３の温度上昇を抑制する。また、内発光体１３が冷却風導入路１２ｅ内に配置されているので、加熱コイル６からの発熱の影響も軽減する。
【００２１】
また、浮力抑制板１５は、加熱開始とともに次第に温度が上昇し非常に高温になるため、発光体への熱の影響を考慮する必要がある。ここで、内コイル６ａの外周と外コイル６ｂの内周との間には隙間が設けられており、この隙間部分はコイル直上よりも磁界が弱まるため、この部分に浮力抑制板１５がない場合は、コイル直上にない場合よりも被加熱体に生じる浮力の影響が少ない。そこで、この隙間部分に対応して浮力抑制板１５に穴を設け、この部分の発熱を抑制することで内発光体１３に対する熱の影響を軽減している。
【００２２】
以上のように実施の形態１によれば、内コイル６ａの外周と外コイル６ｂの内周との間に内発光体１３を設けたため、外発光体１４による単なる誘導加熱コイル出力表示のような情報ではなく、被加熱体の形状に応じた情報表示をより適切に行うことができる。特に、小径の被加熱体が載置された場合には、内発光体１３を用いて被加熱体により近い位置での表示が可能となるため、使用者が直感的に情報を理解しやすい。これまではコイル上のスペースは、通常使用時に被加熱体に隠れてしまい表示には適さないと思われていたが、本実施の形態は、このスペースをうまく利用し、より理解しやすい情報を提供できる点で優れており、また、後述のように発光体への熱の影響を軽減できる。
【００２３】
さらに、加熱コイル６への通電時に得られる所定の情報に基づき、被加熱体の径が小さいとき内発光体１３を点灯して内径リングライン３側のリング表示窓３ａを発光させ、被加熱体の径が大きいときは外発光体１４を点灯して外径リングライン４側のリング表示窓４ａを発光させるようにしたので、被加熱体の大きさに応じて最適な位置に載置することができ、このため、最適な載置位置のずれによる効率低下も抑えることが可能になる。
【００２４】
また、外発光体１４の導光路１４ａと外径リングライン４側のリング表示窓４ａの各幅を内発光体１３側と比べ太くしたので、外径リングライン４側のリング表示窓４ａを覆うような被加熱体を載置しても、被加熱体の底から外側に漏れる光が多くなるため、被加熱体の載置位置の確認が容易になる。
【００２５】
また、本実施の形態では、内コイル６ａの外周と外コイル６ｂの内周との間に内発光体１３を設けることにより、加熱コイル６から内発光体１３への熱の影響を抑制することができる。
外発光体１４の内側に他の発光体(内発光体)を設ける場合、内コイル６ａの外周外であって外コイル６ｂの上、すなわち、外コイル６ｂと天板２との間に発光体を設けることも考えられるが、このような場合には、その発光体は高温になった天板２（若しくは被加熱体）と外コイル６ｂとに挟まれる形になるため、発光体は非常に厳しい熱条件に耐えなければならない。加えて、発光体を設けた分、外コイル６ｂと天板２との間隔が空いてしまうため、加熱効率が落ちるという問題も発生する。これに対し、本実施の形態の誘導加熱調理器では、前述のように内コイル６ａの外周と外コイル６ｂの内周との間に内発光体１３を設けることにより、加熱コイル６から内発光体１３への熱の影響を抑制することができるという特徴がある。
【００２６】
また、内コイル６ａと外コイル６ｂの間に位置する内発光体１３を外発光体１４の上端より低い位置に配置し、しかもコイルベース１２に形成された冷却風導入路１２ｅ内に収めて冷却風を導入させるようにしているので、加熱コイル６からの発熱による温度上昇を抑えることができる。さらに、天板２と加熱コイル６の間に配置された浮力抑制板１５に周方向に延びて形成された３つの開口部１５ｄを設けたので、コイルベース１２との間の通気性が良くなり、内発光体１３を高温から保護することが可能になる。
【００２７】
実施の形態２．
実施の形態１では、被加熱体の大きさに応じて発光体を切り替えるようにしたが、実施の形態２は、天板２に載置された被加熱体が誘導加熱に適しないものと判断したときに発光体を通してその旨を知らせるようにしたものである。なお、実施の形態２においては、図１〜図７で説明した実施の形態１の誘導加熱調理器と同じ構成であるため説明を省略し、以下、図９を用いて動作を説明する。図９は実施の形態２の動作を示すフローチャートである。
【００２８】
本調理器に電源が入ると、制御部２０は、天板２に載置された被加熱体が誘導加熱に適しているか否かの検知／判定に入る。まず、加熱コイル６の電力が設定されたか否かを判定し（Ｓ２１）、電力設定を検知したときは、加熱コイル６のうち内コイル６ａが低電力で出力されるように、加熱動作時より高い周波数の駆動信号によりインバータ回路２１（例えばフルブリッジ型インバータ）を駆動する（Ｓ２２）。次に、交流直流変換回路２２内の入力側に設けられた電流検出手段の検出による入力電流とインバータ回路２１内に設けられたコイル電流検出手段の検出によるコイル電流とを所定の情報として検知し、入力電流に対するコイル電流の比率（＝入力電流／コイル電流）を算出し（Ｓ２４）、予め設定された閾値と比較する（Ｓ２５）。
【００２９】
例えば、比率が閾値より高いときは、誘導加熱に適していると判断して例えば被加熱体の大きさの判定処理に入るが（Ｓ３０）、その比率が閾値以下のときは、誘導加熱に適していないと判断して、天板２上の被加熱体が規定サイズ以下の小物（ナイフ、スプーン等）か否かを判定する（Ｓ２６）。この判定は、予め設定された小物に対する判断基準のデータ（電流値）と、先に検出した入力電流及びコイル電流とを照合して行っている。被加熱体が規定サイズ以下の小物でないと判断したときは、アルミ製、土鍋等の材質に起因するものとして、例えば内発光体１３と外発光体１４の各ＬＥＤ１３ｂ、１４ｂを点滅する（Ｓ２８）。
【００３０】
この時、天板２上の内径リングライン３及び外径リングライン４の外周に形成された幅の異なるリング表示窓３ａ、４ａから放射される光が点滅し、使用者にその旨を報知する。また、被加熱体が規定サイズ以下の小物と判断したときは、例えば内発光体１３のＬＥＤ１３ｂのみを点滅する（Ｓ２７）。この場合は、天板２上の内径リングライン３の外周に形成されたリング表示窓３ａのみから放射される光が点滅し、使用者にその旨を報知する。制御部２０は、内発光体１３と外発光体１４の各ＬＥＤ１３ｂ、１４ｂを点滅した際、あるいは内発光体１３のＬＥＤ１３ｂのみを点滅した際には、インバータ回路２１の制御を停止して、内コイル６ａへの通電を停止する（Ｓ２９）。
【００３１】
以上のように実施の形態２によれば、内コイル６ａ外周と外コイル６ｂ内周との間に内発光体１３を設けたため、外発光体１４による単なる誘導加熱コイル出力表示のような少ない情報ではなく、被加熱体の材質や形状などの被加熱体の状態や性質に応じたより適切な情報表示を行うことができる。
また、加熱コイルへの通電時に得られる所定の情報に基づき、天板２上に載置された被加熱体が誘導加熱に適していない材質と判定したときには、内発光体１３と外発光体１４の各ＬＥＤ１３ｂ、１４ｂを点滅し、被加熱体が規定サイズ以下の小物と判定したときは、内発光体１３のＬＥＤ１３ｂのみを点滅するようにしたので、加熱できない被加熱体を使用者に判りやすく、しかも、その原因を限定して報知することができ、安全性が向上するという効果がある。
【００３２】
また、外発光体１４の導光路１４ａと外径リングライン４側のリング表示窓４ａの各幅を内発光体１３側と比べ太くしたので、外径リングライン４側のリング表示窓４ａを覆うような被加熱体を載置しても、被加熱体の底から外側に漏れる光が多くなるため、被加熱体の載置位置の確認が容易になる。
【００３３】
また、内コイル６ａと外コイル６ｂの間に位置する内発光体１３を外発光体１４上端より低い位置に配置し、しかもコイルベース１２に形成された冷却風導入路１２ｅ内に収めて冷却風を導入させるようにしているので、加熱コイル６からの発熱による温度上昇を抑えることができる。さらに、天板２と加熱コイル６の間に配置された浮力抑制板１５に周方向に延びて形成された３つの開口部１５ｄを設けたので、コイルベース１２との間の通気性が良くなり、内発光体１３を高温から保護することが可能になる。
【００３４】
なお、前記の実施の形態２では、被加熱体を加熱できない理由として、材質に起因する場合、内発光体１３と外発光体１４の各ＬＥＤ１３ｂ、１４ｂを点滅し、規定サイズ以下の小物の場合は、内発光体１３のＬＥＤ１３ｂのみを点滅するようにしたが、これに限定されるものではなく、例えば、材質に起因する場合、内発光体１３と外発光体１４の各ＬＥＤ１３ｂ、１４ｂを交互に点灯するようにしても良いし、また、外発光体１４のＬＥＤ１４ｂのみを点滅するようにしても良い。また、小物の場合は、内発光体１３のＬＥＤ１３ｂの点滅に加えて、外発光体１４のＬＥＤ１４ｂを点灯するようにしても良い。さらに、点滅周期を変えて被加熱体が加熱できない理由を識別できるようにしても良い。
【００３５】
実施の形態３．
実施の形態３は、誘導加熱中に被加熱体が天板２のリングラインから外れたり、被加熱体を天板２から浮かしたり載せたりするあおり動作を繰り返した場合に、加熱調理中である旨を発光体の発光状態を変化させて報知するようにしたものである。なお、実施の形態３においては、図１〜図７で説明した実施の形態１の誘導加熱調理器と同じ構成であるため説明を省略し、以下、図１０及び図１１を用いて動作を説明する。図１０は実施の形態３を説明するためのリング表示窓の点灯例を示す平面図、図１１は実施の形態３の動作を示すフローチャートである。なお、図１０は被加熱体のあおり動作に応じて点灯するリング表示窓の一例を示す。
【００３６】
制御部２０は、例えば径の大きい被加熱体に応じて外発光体１４のＬＥＤ１４ｂを点灯して、図１０（ａ）に示すように外径リングライン４側のリング表示窓４ａのみを発光させているときに（Ｓ３１）、入力電流とコイル電流の比率（＝入力電流／コイル電流）が予め設定された閾値以下になると（Ｓ３２）、被加熱体が天板２から離れたと判断する。この場合、Ｓ３１において外発光体１４のＬＥＤ１４ｂを点灯しているので（Ｓ３３）、内発光体１３のＬＥＤ１３ｂを点灯して、同図（ｂ）に示すように、外径リングライン４側のリング表示窓４ａの発光に加えて、内径リングライン３側のリング表示窓３ａも発光させる。また、Ｓ３１において内発光体１３のＬＥＤ１３ｂを点灯している場合は、外発光体１４のＬＥＤ１４ｂを点灯する（Ｓ３５）。その後、入力電流とコイル電流の比率（＝入力電流／コイル電流）が閾値より高くなったときは、被加熱体が再び天板２に載置されたと判断して、Ｓ３１において点灯したＬＥＤは外発光体１４側か内発光体１３側かを判定する（Ｓ３７）。この場合、外発光体１４のＬＥＤ１４ｂを点灯しているので、内発光体１３のＬＥＤ１３ｂを消灯する（Ｓ３８）。また、Ｓ３１において内発光体１３のＬＥＤ１３ｂを点灯している場合は、外発光体１４のＬＥＤ１４ｂを消灯する（Ｓ３９）。この一連の動作は、被加熱体のあおり動作に応じて繰り返し行われる。
【００３７】
また、Ｓ３１において外発光体１４のＬＥＤ１４ｂを点灯しているときに、入力電流及びコイル電流の比率が閾値より高くなると、被加熱体が外径リングライン４から外れたと判断して、例えば、その外発光体１４のＬＥＤ１４ｂを点滅し（Ｓ４０）、外径リングライン４側のリング表示窓４ａを点滅させる。また、Ｓ３１において内発光体１３のＬＥＤ１３ｂを点灯している場合は、内発光体１３のＬＥＤ１３ｂを点滅し（Ｓ４０）、内径リングライン３側のリング表示窓３ａを点滅させる。
【００３８】
なお、被加熱体が天板２に載置されているか、或いは、離れたかによって、消灯／点灯するだけではなく、検知したコイル電流の大きさに応じて（すなわち、加熱時に想定されるコイル電流よりもどの位大きい電流が流れたかに比例して）、多段階若しくは連続的に光量を増やすように制御することも可能である。このときの想定電流は、インバータ回路２１に入力される電流や検知した鍋の材質によって適宜補正するようにするとさらによい（これらの関係を予めマップとして制御装置のメモリに記憶しておく）。
【００３９】
以上のように実施の形態３によれば、内コイル６ａの外周と外コイル６ｂの内周との間に内発光体１３を設けたため、外発光体１４による単なる誘導加熱コイル出力表示のような少ない情報ではなく、被加熱体の位置や状態に応じたより良い情報表示を適切に行うことができる。
【００４０】
また、加熱コイル６への通電時に得られる所定の情報に基づき、外径リングライン４側のリング表示窓４ａのみを発光させているときに、被加熱体が天板２から離れたときは、外径リングライン４側のリング表示窓４ａの発光に加えて、内径リングライン３側のリング表示窓３ａも発光させ、被加熱体が再び天板２に載置されたときは、外径リングライン４側のリング表示窓４ａのみを発光させるようにし、また、外径リングライン４側のリング表示窓４ａのみを発光させているときに、被加熱体が外径リングライン４から外れたと判断したときは、その外径リングライン４側のリング表示窓４ａを点滅させるようにしたので、使用者に被加熱体の状態を報知することができ、また、誘導加熱中であることを明確に認識させることができる。
【００４１】
また、外発光体１４の導光路１４ａと外径リングライン４側のリング表示窓４ａの各幅を内発光体１３側と比べ太くしたので、外径リングライン４側のリング表示窓４ａを覆うような被加熱体を載置しても、被加熱体の底から外側に漏れる光が多くなるため、被加熱体の載置位置の確認が容易になる。
【００４２】
また、内コイル６ａと外コイル６ｂの間に位置する内発光体１３を外発光体１４上端より低い位置に配置し、しかもコイルベース１２に形成された冷却風導入路１２ｅ内に収めて冷却風を導入させるようにしているので、加熱コイル６からの発熱による温度上昇を抑えることができる。さらに、天板２と加熱コイル６の間に配置された浮力抑制板１５に周方向に延びて形成された３つの開口部１５ｄを設けたので、コイルベース１２との間の通気性が良くなり、内発光体１３を高温から保護することが可能になる。
【００４３】
なお、前記の実施の形態３では、外径リングライン４側のリング表示窓４ａのみを発光させているときに、被加熱体が外径リングライン４から外れたり天板２から離れた場合の動作について説明したが、内径リングライン３側のリング表示窓３ａのみを発光させているときに、被加熱体が天板２から離れた場合、内径リングライン３側のリング表示窓３ａの発光に加えて、外径リングライン４側のリング表示窓４ａも発光させるようにし、また、被加熱体が内径リングライン３から外れた場合は、内径リングライン３側のリング表示窓３ａを点滅させるようにすることは言うまでもない。
また、被加熱体が天板２から離れた場合に表示を変える制御に関しては、内発光体１３及び外発体１４の両者を備えることは必須ではなく、両者のうち一方のみを用いて表示を行うようにしてもよい。
【００４４】
また、被加熱体が外径リングライン４から外れたり天板２から離れた場合、内径リングライン３側のリング表示窓３ａと外径リングライン４側のリング表示窓４ａを点灯させるようにしたが、そのような状態になったとき、両方のリング表示窓３ａ、４ａを点滅させるようにして、使用者に報知するようにしても良い。
【００４５】
以上、前述した実施の形態１〜３のそれぞれは、この発明の１つの実施形態にすぎず、この発明の趣旨を逸脱しない限りにおいて、適宜、他の構成や制御を採用／改変することができ、そのような実施の形態も本発明から除外されるものではない。
例えば、前述の実施の形態では、略リング状の発光体は、２つのＬＥＤと導光路との組合せで構成されているが、１つのＬＥＤと導光路との組合せで構成しても良いし、複数のＬＥＤと複数の導光路との組合せを採用しても構わない。また、略リング状の発光体は、線状に繋がっている必要はなく、例えば複数のＬＥＤを略環状に配置し、線状に繋がらない非連続の光源により構成されるようにしても構わない。
また、誘導加熱コイルは、２分割である必要はなく、３分割以上を採用することも可能である。その際、各コイルの隙間に発光体を配置し、発光体を３重以上のリングにしてもよい。
【００４６】
内発光体は、内発光体の直上に大径の被加熱体が載っているときなどは消灯するようにすることが可能であるが、一方で、被加熱体が上に載っている場合であっても光が周囲に拡散し天板や鍋をボンヤリと光らせることも可能であるため、そのような場合でもこの光拡散効果を狙って点灯するようにしてもよい。
【００４７】
被加熱体の大きさ、形状、状態、材質、又は位置等を検出する方法や素子は、前述のようなものに限らす他の方法、素子を使用することも可能である。例えば、大きさや形状、位置などを検知するために、コイルの半径方向に単数又は複数の光センサを配置したり、距離センサ(赤外線、超音波センサ等)を配置し、各センサの反応の強度や信号の反応時間を判別して大きさや距離等を判断することも可能である。また、加熱コイルに流れる電流等により、被加熱体の大きさ、位置、又は材質を判断する方法は、特開２００７−２９４４３９号公報、特開２００１−１２６８５４号公報に記載されているような、方法を採用することも可能である。
【図面の簡単な説明】
【００４８】
【図１】本発明の実施の形態１を示す誘導加熱調理器の外観斜視図である。
【図２】実施の形態１に係る誘導加熱調理器の天板を一部破砕して示す平面図である。
【図３】実施の形態１に係る誘導加熱調理器の誘導コイルと発光体との位置関係を示す断面図である。
【図４】実施の形態１に係る誘導加熱調理器のコイルベースを示す平面図である。
【図５】実施の形態１に係る誘導加熱調理器の浮力抑制板を示す平面図である。
【図６】実施の形態１の動作を説明するための概略ブロック図である。
【図７】鍋の大きさに応じて点灯するリング表示窓の一例を示す平面図である。
【図８】鍋の大きさ判定時の動作を示すフローチャートである。
【図９】実施の形態２の動作を示すフローチャートである。
【図１０】実施の形態３を説明するためのリング表示窓の点灯例を示す平面図である。
【図１１】実施の形態３の動作を示すフローチャートである。
【符号の説明】
【００４９】
１  調理器本体、２  天板、３  内径リングライン、４  外径リングライン、５  リングライン、６  加熱コイル、６ａ  内コイル、６ｂ  外コイル、７  グリル部、
８、９  調理機能表示窓、１０  上面操作部、１１  前面操作部、１２  コイルベース、１３  内発光体、１４  外発光体、１５  浮力抑制板、１６  冷却風噴出部、２０  制御部、２１  インバータ回路、２２  交流直流変換回路。
【図１】
0004879222.tif 000002
【図２】
0004879222.tif 000003
【図３】
0004879222.tif 000004
【図４】
0004879222.tif 000005
【図５】
0004879222.tif 000006
【図６】
0004879222.tif 000007
【図７】
0004879222.tif 000008
【図８】
0004879222.tif 000009
【図９】
0004879222.tif 000010
【図１０】
0004879222.tif 000011
【図１１】
0004879222.tif 000012